(57)【要約】【課題】  深い深さに潜水するために高い水圧に耐えるように構成している耐水性の携行型時計ケースを提供する。【解決手段】  ダイビングウォッチの耐水性の携行型時計ケース（１）は、ミドル部（２）の下側に取り付けられる少なくとも１つの裏部（４）と、及びミドル部（２）の上側に取り付けられる風防（３）とを備える。裏部には、環状支持面（２４）があり、この環状支持面（２４）は、裏部をミドル部に取り付けるときに環状支持面に対して相補的な形であるミドル部の環状内側面（３２）と接触するようになる。環状支持面と環状内側面は、携行型時計ケースの平面に垂直な中心軸に対して携行型時計ケースの内側の方へと９０°未満の所定の角度傾斜しており、これによって、潜水時の水圧に起因する応力を風防とミドル部の間で分散させる。環状周面と環状内側面は、テーパー状である。【選択図】  図２ａ
2020183952.tif 000002
【特許請求の範囲】
【請求項１】
特にダイビングウォッチのための、耐水性の携行型時計ケースであって、
当該携行型時計ケース（１）は、ミドル部（２）と、前記ミドル部（２）の下側に取り付けられる少なくとも１つの裏部（４）と、風防（３）と、及び前記風防（３）を前記ミドル部（２）の上側に取り付けるためのガスケット（５、５’）とを備え、
前記裏部４には、環状支持面（２４）があり、この環状支持面（２４）は、前記裏部（４）を前記ミドル部（２）に取り付けるときに前記環状支持面（２４）に対して相補的な形である前記ミドル部（２）の環状内側面（３２）と接触するようになり、
各テーパーの形の頂上は、当該携行型時計ケースの内側の方向にあり、
前記環状支持面（２４）と前記環状内側面（３２）は、前記裏部（４）の平面と、当該携行型時計ケース（１）の平面に垂直な中心軸とに対して当該携行型時計ケース（１）の内側の方へと９０°未満の所定の角度傾斜しており、これによって、潜水時の水圧に起因する応力を前記風防（３）と前記ミドル部（２）の間で分散させ、
前記風防（３）には、前記ミドル部（２）の上側に対して相補的な形である環状内側面（１２）上に前記ガスケットの少なくとも第１の部分（５）を用いて取り付けられるテーパー状の環状周面（１３）があり、
前記風防（３）の前記環状周面（１３）が、前記風防（３）の面の平面に対して及び当該携行型時計ケースの平面に垂直な中央軸に対して当該携行型時計ケース（１）の内側の方へと９０°未満の角度傾斜しており、
前記ガスケットの第２の部分（５’）は、前記環状内側面（１２）の上の前記ミドル部（２）の円筒状の環状内側壁（２２）と、前記環状周面（１３）の上の前記風防（３）の円筒状の環状外側壁（２２）との間にてこれらと接触しており、これによって、潜水しているときの水圧に起因する前記風防（３）と前記ミドル部（２）の間の応力を分散させる
ことを特徴とする携行型時計ケース（１）。
【請求項２】
前記裏部（４）の前記環状支持面（２４）及び前記ミドル部（２）の前記環状内側面（３２）は、テーパー状の面である
ことを特徴とする請求項１に記載の携行型時計ケース（１）。
【請求項３】
前記環状支持面（２４）と前記環状内側面（３２）の前記所定の傾斜角度は、中心軸に対して６０°±５°のオーダーである
ことを特徴とする請求項１又は２に記載の携行型時計ケース（１）。
【請求項４】
前記ミドル部（２）の下側には、さらに、前記裏部（４）が前記ミドル部（２）に取り付けられているときに前記環状支持面（２４）に接触するパッキン（６）を収容する環状溝（１６）がある
ことを特徴とする請求項１又は２に記載の携行型時計ケース（１）。
【請求項５】
前記裏部（４）には、内側ねじ山がある環状リム（１４）があり、この環状リム（１４）は、前記裏部（４）を前記ミドル部（２）に取り付けるときに、前記ミドル部（２）の下側にあるねじ山（２６）にねじ込まれる
ことを特徴とする請求項４に記載の携行型時計ケース（１）。
【請求項６】
前記裏部（４）を前記ミドル部（２）に取り付けるためにリング（４’）を備え、
このリング（４’）には、相補的な形である前記裏部（４）の外側周面と接触する内側支持面があり、
前記リング（４’）には、内側ねじ山がある環状リム（１４）があり、この環状リム（１４）は、前記ミドル部（２）の下側にあるねじ山（２６）にねじ込まれる
ことを特徴とする請求項４に記載の携行型時計ケース（１）。
【請求項７】
前記環状周面（１３）と前記環状内側面（１２）の間の前記ガスケットの部分（５、５’）は、アモルファス金属又はアモルファス金属合金によって作られている
ことを特徴とする請求項６に記載の携行型時計ケース（１）。
【請求項８】
前記環状壁（２２、２３）は、前記中心軸と平行である
ことを特徴とする請求項１に記載の携行型時計ケース（１）。
【請求項９】
前記ガスケットの前記第１の部分（５）は、アモルファス金属又はアモルファス金属合金によって作られており、
前記ガスケットの第２の部分（５’）は、ポリウレタンによって作られており、これによって、前記風防（３）を前記ミドル部（２）に固定する
ことを特徴とする請求項１に記載の携行型時計ケース（１）。
【請求項１０】
前記ガスケット（５、５’）の少なくとも一部のアモルファス金属合金は、主にジルコニウムをベースとしている
ことを特徴とする請求項７又は９に記載の携行型時計ケース（１）。
【請求項１１】
前記ガスケット（５、５’）の少なくとも一部のアモルファス金属合金は、主に白金をベースとしている
ことを特徴とする請求項７又は９に記載の携行型時計ケース（１）。
【請求項１２】
前記ガスケット（５、５’）の少なくとも一部のアモルファス金属合金は、主にパラジウムをベースとしている
ことを特徴とする請求項７又は９に記載の携行型時計ケース（１）。
【請求項１３】
前記風防（３）の前記環状周面（１３）及び前記ミドル部（２）の前記環状内側面（１２）の前記所定の傾斜角度は、前記中心軸に対して４３°±５°のオーダーの角度である
ことを特徴とする請求項１に記載の携行型時計ケース（１）。
【発明の詳細な説明】
【技術分野】
【０００１】
本発明は、耐水性の携行型時計（例、腕時計、懐中時計）のケースに関し、特に、ダイビングウォッチ用のものに関する。
【背景技術】
【０００２】
機械式又は電子式の携行型時計を水中で用いるためには、計時器用ムーブメントやタイムベースの計時器用モジュールを搭載している携行型時計ケースが密封されていなければならない。このために、携行型時計ケースは、ミドル部の第１の側に密封固定される裏部と、第１の側とは反対側のミドル部の第２の側に固定される風防とを備える。携行型時計の裏部、ミドル部及び風防を組み付けるために、パッキンが用いられる。また、携行型時計機能の制御メンバーないし設定メンバーは、待機位置において、ケースのミドル部を貫通するように密封取り付けされている。
【０００３】
潜水中などのときには携行型時計ケース内の圧力が大気圧に近く、携行型時計ケースは、一般的には、携行型時計ケースの高い水圧に耐えるように構成していたり組み付けられたりしていない。伝統的な携行型時計の単純なパッキンでは、非常に深くまで潜水しているときに耐水性が良好であることを確実にするために十分ではない。
【０００４】
スイス特許文献ＣＨ６９０８７０Ａ５には、耐水性の携行型時計ケースが記載されている。この携行型時計ケースは、上側でミドルベゼルに固定される風防と、ミドル部の内ねじにねじ込まれることによって固定される裏部によって構成している。この風防は、円環状の環状パッキンを用いてミドル部に固定され、ミドル部のリムに支えられる。また、裏部の外側リムとミドル部の下面の間にもパッキンが設けられる。また、ねじ山が高い水圧で損傷する可能性があるため、耐久性が高い金属によって作られたドームも設けられる。このドームは、裏部の内側面、そして、ミドル部の内側縁部に支えられる。しかし、携行型時計ケースがこのように構成していても、非常に深い深さまで潜水しているときにケースの耐水性が良好であることを確実にすることはできていない。このことは望ましくない。
【０００５】
スイス特許文献ＣＨ３７２６０６は、裏部を囲み風防によって閉じられる中央部ないしミドル部を備える耐水性の携行型時計ケースについて記載している。ねじ山付きリングは、裏部の傾斜した外側面に支えられて裏部を保持し、ミドル部に接続された固定部にねじ込まれる。このような構成では、非常に深い深さまで潜水しているときにケースの良好な耐水性を確実にすることはできない。このことは望ましくない。
【発明の概要】
【発明が解決しようとする課題】
【０００６】
したがって、本発明は、深い深さに潜水するために高い水圧に耐えるように構成している耐水性の携行型時計ケースを提案することによって、上述の従来技術の課題を解決することを主な目的とする。
【課題を解決するための手段】
【０００７】
このために、本発明は、独立請求項１に記載の特徴を備える耐水性の携行型時計ケースに関する。
【０００８】
従属請求項２〜１６に、耐水性の携行型時計ケースの特定の実施形態が定められている。
【０００９】
この耐水性の携行型時計ケースの利点は、この携行型時計ケースの内側の方に傾斜した裏部の環状支持面が、裏部をミドル部に取り付けるときに環状支持面と相補的な形状であるミドル部の環状内側面と接触することに基づいている。支持面と内側面は、携行型時計ケースの平面に垂直な中心軸に対して９０°未満の所定の角度携行型時計ケースの内側の方に傾斜している。概して円筒状であるミドル部の場合、支持面と内側面は、テーパー状である。このことによって、深い深さまで潜水しているときの水圧に起因する裏部とミドル部の間の応力の分布を良好にすることができる。
【００１０】
この耐水性の携行型時計ケースの利点は、ガスケットを用いて風防がミドル部に固定されていることと、ミドル部と風防の接触面が傾いていることに基づいている。概して円筒状であるミドル部の場合、風防とミドル部上にテーパー状の支持面が形成される。このようにして、風防にかかる圧力の力は、テーパー状の支持面を介してミドル部に伝達される。
【００１１】
図面を参照しながら以下の説明を読むことによって、耐水性の携行型時計ケースの目的、利点及び特徴をよく理解することができるであろう。
【図面の簡単な説明】
【００１２】
【図１ａ】図１ａは、本発明に係る耐水性のケースを備える携行型時計の第１の実施形態の断面図を示している。
【図１ｂ】図１ｂは、本発明の第１の実施形態に係るミドル部に対する風防の固定を示している部分的な詳細断面図を示している。
【図２ａ】図２ａは、単純な形態で、本発明に係る耐水性のケースを備える携行型時計の第２の実施形態の断面図を示している。
【図２ｂ】図２ｂは、本発明の第２の実施形態に係るミドル部に対する風防の固定を示している部分的な詳細断面図を示している。
【発明を実施するための形態】
【００１３】
以下において、当業者によく知られている、耐水性の携行型時計、特に、ダイビングウォッチ、のケースの構成要素についてはすべて簡略化した形態でのみ説明している。
【００１４】
図１ａ及び１ｂは、ダイビングウォッチに用いることができる携行型時計ケース１の一実施形態を示している。携行型時計ケース１は、基本的に、ミドル部２の上側に固定されサファイアや鉱物の結晶によって作ることができる風防３と、及びミドル部２の下側に取り付けられる裏部４とを備える。また、ミドル部２の上側上にベゼル７を取り付けることもできる。携行型時計ケース１には、ケーシングサークル８内に計時器用ムーブメント又はモジュール１０が配置されており、ダイビングウォッチの時間、日付又は他の機能を設定するために、ミドル部２上に又はミドル部２を貫通するように、安静位置において密封されるように、少なくとも１つの制御メンバー（図示せず）を取り付けることができる。
【００１５】
第１の変形実施形態において、裏部４は、ミドル部２の下側に取り付けられる環状リム１４のような固定手段を備える。裏部４の環状支持面２４は、裏部４をミドル部２に取り付けるときにミドル部２の環状内側面３２と接触する。この環状内側面３２は、支持面２４と相補的な形状である。支持面２４と内側面３２は、携行型時計ケース１の平面に垂直な中心軸に対して９０°未満の所定の角度携行型時計ケース１の内側の方に傾斜している。
【００１６】
概して円筒状であるミドル部２の場合、面２４、３２は円錐状であり、携行型時計ケース１の中心軸に対して９０°未満の所定の角度携行型時計ケース１の内側の方に傾いている。このことは、各テーパーの形の頂上が携行型時計ケース１の内側の方向にあることを意味している。また、ミドル部２の下側には、裏部４がミドル部２に取り付けられているときに支持面２４に接触する円環状のパッキン６（ブタジエンゴムニトリル）を収容する環状溝１６がある。好ましくは、裏部４の環状リム１４には、内側ねじ山があり、これによって、ミドル部２の下側にあるねじ山２６にねじ込むことができる。チタンのような材料によって作られたミドル部２と堅固な裏部４の場合、前記角度は中心軸に対して６０°±５°のオーダーであることができる。このことによって、深い深さまで潜水しているときの水圧に起因する堅固な裏部４とミドル部２の間の応力の分布を良好にすることができる。
【００１７】
なお、裏部４は、風防３と同様にサファイアや鉱物ガラスによって作って、スケルトン的な携行型時計ケースとすることができ、これによって、ダイビングウォッチの内側を見ることができるようにすることかできる。
【００１８】
風防３には、環状周面１３があり、ミドル部２の上側の環状内側面１２上に環状の固定用ガスケット５、５’の少なくとも一部を用いて取り付けられる。環状内側面１２は、環状周面１３に対して相補的な形状であることが好ましい。風防３の環状周面１３は、携行型時計ケース１の平面に垂直な軸に対して９０°未満の所定の角度傾斜している。好ましくは、環状内側面１２は、概して、中心軸に対して環状周面１３と同じ角度で携行型時計ケース１の内側の方に傾斜している。
【００１９】
ミドル部２が概して円筒状である場合、内側周面１３と環状内側面１２はテーパー状であり、携行型時計ケースの内側の方に所定の角度傾斜している。このことは、各テーパーの形の頂上が携行型時計ケース１の内側の方向にあることを意味している。面１２及び１３の所定の傾斜角度は、中心軸に対して４３°±５°のオーダーであることができる。このことのおかげで、深い深さまで潜水しているときの水圧に起因する風防３とミドル部２の間の応力の分布が良好になる。ケース１の内側の方に接触面１２、１３が傾いているおかげで、携行型時計ケース１内の圧力と水圧の差によって、接触面１２、１３と固定用ガスケット５、５’の間の隙間をいずれも閉じる傾向が発生する。このことによって、耐水性が良好であることと耐圧力性が確実になる。
【００２０】
この第１の変形実施形態において、固定用ガスケット５、５は、好ましくは、アモルファス金属、金属性ガラス又はアモルファス金属合金によって作られた第１の部分５と、及びポリマー（例、ポリウレタン）によって作られた第２の部分５’とによって構成しており、これによって、風防3を保持する。固定用ガスケット５、５’は、ミドル部２上にて風防３を密封して閉じるために環状の形状をしている。概して円筒状であるミドル部２のために、ガスケットの第１の部分５はテーパー状であり、第２の部分５’は第１の部分５の上側縁部上にてリンクしており円筒状である。風防３がミドル部２上にて固定されると、第１の部分５はミドル部２と風防３の傾斜面を支えるようにリンクしており、かつ、第２の部分５’は風防３の環状周面１３の上方の風防３の環状内側壁２２及び環状外側壁２３に取り付けられる。好ましくは、第２の部分５’は、ベゼル７のすぐ下の風防３の中間的な高さで止まり、かつ、ガスケットの第１の部分５は、風防３の底部とミドル部２の間のリンクの高さレベルよりも下まで延在している。
【００２１】
断面における第１の部分５の長さは、５ｍｍのオーダーであることができ、ガスケット５、５’の第２の部分の高さは、２．５ｍｍのオーダーであることができる。なお、この形態には限定されない。ガスケットの厚みは、０．６５ｍｍのオーダーであることができる。
【００２２】
通常、風防３がミドル部２上に固定される前に環状の固定用ガスケット５、５’が作られる場合、ガスケットの第１の部分５が風防３をミドル部２上に担持するタイプであるときに、風防３をミドル部２に対して保持するようにはたらくのは主にガスケットの第２の部分５’である。しかし、これらの２つの部分が分離しており、環状外側壁２３によって風防３をミドル部２の内側壁２２に保持するためにガスケットの第２の部分５’を第１の部分５上に設ける前に第１の部分５をミドル部２と風防３に熱間固定することも想像することができ、このことによっても耐水性が良好であることを確実にすることができる。
【００２３】
このことによって、携行型時計ケース１が水中の深い深さまで沈められたときに、風防３とミドル部２の傾斜面１２、１３が貢献して、また、ガスケットの金属製の第１の部分５によって、風防３とミドル部２の間のいずれの隙間をも閉じることが可能になる。したがって、アモルファス金属又はアモルファス金属合金によって作られた、ガスケットの金属製の第１の部分５が貢献して、風防３とミドル部２の間の応力の分布が良好になる。
【００２４】
なお、ミドル部２の環状内側面１２は、携行型時計ケース１の内側の方へと傾斜しており、環状内側面１２の後に約３°内側に曲がった面１２’で終わっている。したがって、ガスケットの第１の部分５は、この曲がった表面１２’と直接接触しなくなっている。一方、潜水時に水圧が大きく増加すると、ガスケットの第１の部分５は風防３によって内側の方に押されて、曲がった面１２’と接触ないし一致するようになる。したがって、このことによって、風防３の内側の角の圧力がガスケットの第１の部分５において応力を集中させてガスケットを破壊してしまうことを防ぐことができる。
【００２５】
いくつかのタイプのアモルファス金属合金を用いて、ガスケットの金属製の第１の部分５を作ることができる。最も一般的な場合では、アモルファス金属合金は、主にジルコニウムによって構成していることができる。このことによって、３５０°よりも高い温度で、すなわち、合金のガラス転移温度よりも高い温度で、ガスケットを形成することが可能になる。ジルコニウムベースのアモルファス金属合金は、Ｚｒ（５２．５％）、Ｃｕ（１７．６％）、Ｎｉ（１４．９％）、Ａｌ（１０％）及びＴｉ（５％）によって構成していることができる。また、ジルコニウムベースのアモルファス金属合金は、Ｚｒ（５８．５％）、Ｃｕ（１５．６％）、Ｎｉ（１２．８％）、Ａｌ（１０．３％）及びＮｂ（２．８％）を含有することができる。また、ジルコニウムベースのアモルファス金属合金は、Ｚｒ（４４％）、Ｔｉ（１１％）、Ｃｕ（９．８％）、Ｎｉ（１０．２％）及びＢｅ（２５％）を含有することができ、あるいは最後に、Ｚｒ（５８％）、Ｃｕ（２２％）、Ｆｅ（８％）及びＡｌ（１２％）を含有することができる。好ましくは、このようなガスケットの製造を容易にするために、アモルファス金属合金は、主に、白金によって構成していることができる。このことによって、２３０℃よりも高い温度でガスケットを形成することが可能になる白金ベースのアモルファス金属合金は、Ｐｔ（５７．５％）、Ｃｕ（１４．７％）、Ｎｉ（５．３％）及びＰ（２２．５％）を含有することができる。また、主にパラジウム（Ｐｄ）をベースとするアモルファス金属合金の一体的な金属ガスケット５、５’を作ることも可能である。このことによって、３００℃よりも高い温度でガスケットを形成することができる。
【００２６】
また、以下のようなアモルファス金属の他の合金についても言及することができる。チタンベースのアモルファス金属合金は、Ｔｉ（４１．５％）、Ｚｒ（１０％）、Ｃｕ（３５％）、Ｐｄ（１１％）及びＳｎ（２．５％）を含有することができる。パラジウムベースのアモルファス金属合金は、Ｐｄ（４３％）、Ｃｕ（２７％）、Ｎｉ（１０％）及びＰ（２０％）を含有することができ、あるいはＰｄ（７７％）、Ｃｕ（６％）及びＳｉ（１６．５％）を含有することができ、あるいは最後に、Ｐｄ（７９％）、Ｃｕ（６％）、Ｓｉ（１０％）及びＰ（５％）を含有することができる。ニッケルベースのアモルファス金属合金は、Ｎｉ（５３％）、Ｎｂ（２０％）、Ｔｉ（１０％）、Ｚｒ（８％）、Ｃｏ（６％）及びＣｕ（３％）を含有することができ、あるいはＮｉ（６７％）、Ｃｒ（６％）、Ｆｅ（４％）、Ｓｉ（７％）、Ｃ（０．２５％）及びＢ（１５．７５％）を含有することができ、あるいは最後に、Ｎｉ（６０％）、Ｐｄ（２０％）、Ｐ（１７％）及びＢ（３％）を含有することができる。鉄ベースのアモルファス金属合金は、Ｆｅ（４５％）、Ｃｒ（２０％）、Ｍｏ（１４％）、Ｃ（１５％）及びＢ（６％）を含有することができ、あるいはＦｅ（５６％）、Ｃｏ（７％）、Ｎｉ（７％）、Ｚｒ（８％）、Ｎｂ（２％）及びＢ（２０％）を含有することができる。金ベースのアモルファス金属合金は、Ａｕ（４９％）、Ａｇ（５％）、Ｐｄ（２．３％）、Ｃｕ（２６．９％）及びＳｉ（１６．３％）を含有することができる。
【００２７】
図２ａ及び２ｂは、ダイビングウォッチに用いることができる携行型時計ケース１の第２の変形実施形態を示している。この第２の変形実施形態の要素のほとんどが図１ａ及び１ｂを参照しながら説明した第１の変形実施形態と同じであるので、これらについては繰り返して説明しない。ミドル部２の下側の裏部４の固定手段、そして、風防３をミドル部２に固定する金属ガスケット５、５’において、相違している。
【００２８】
堅固な裏部４は、固定手段としてはたらくリング４’を用いてミドル部２に固定される。このリング４’には、相補的な形であることが好ましい裏部４の外側周面と接触する内側支持面がある。リング４’の内側支持面は、裏部４の中央の方に曲がっており又は傾斜している。リング４’には、さらに、内側ねじ山がある環状リム１４があり、これは、リング４’の内側支持面に支えられている裏部４をミドル部２に取り付けるときに、ミドル部２の下側にあるねじ山２６にねじ込まれる。リング４の材料は、裏部４と同じ材料であることができ、また、別の金属製の材料であることができる。
【００２９】
概して円筒状であるミドル部の場合、環状の固定用ガスケット５、５’の全体は、アモルファス金属、金属性ガラス又はアモルファス金属性合金によって構成していることができる。これは、テーパー状のガスケットの第１の部分５と、及びこの第１の部分５の上側リムにリンクされる円筒状の第２の部分５’とを備えて、１つの単一の部品を形成することができる。固定用ガスケット５、５’の全体的な形は、図１ａ及び１ｂのものと同じであり、面１２、１３の傾斜角度についても同様である。好ましくは、風防３は、アモルファス金属によって作られたガスケットを用いてミドル部２に熱間固定される。
【００３０】
情報として、このようなアモルファス金属によって作られたガスケット５、５’の製造は、以下のような異なる成形方法のいずれかによって行うことができる。
−  溶融金属から直接製造する方法である。例えば、圧力注入、重力鋳造、遠心鋳造、抗重力鋳造、吸引鋳造、付加的粉末製造の方法である。
−  ガラス転移温度よりも高い温度での熱変形によってアモルファスプレフォームから製造する方法である。例えば、電磁成形、容量性放電による成形、ガス圧下での成形、機械的成形の方法である。このステップの目的は、正確な寸法を有するプレフォームを得て、十分な割合のアモルファス相を含むようにして後述するアセンブリーステップの間にそのプレフォームの変形を可能にすることである。
【００３１】
この刻み込みは、携行型時計のブランドを示すこともできる。なお、上述した変形実施形態にしたがってミドル部２に風防３を固定すること及び風防３とミドル部２の間のテーパー面の接触によって、風防３とミドル部２の間の耐水性及び応力分布が良好であることが確実になる。裏部のテーパー状の面とミドル部２のテーパー状の面の接触についても同様である。このことは、携行型時計がその内部の圧力と深い深さの水の中における水圧との間の圧力差に起因する高い応力に耐えなければならないために必要である。このテーパー状の形のために、ミドル部２、ガスケット５、５’及び風防３の間又はミドル部２と裏部４の間の接触面が非常に大きいため、より広い面積にわたって応力伝達が良好に行われる。このことは、深くまで潜水しているときに、携行型時計の耐水性を確実にするために重要である。このような構成によって、携行型時計ケース上に与えられる水圧は、接触面の間のいずれの隙間をも閉じようとする。また、このことによって、固定用ガスケット５、５’の押し出しを防ぐ。
【００３２】
以上の説明から、当業者であれば、請求の範囲において定められた本発明の範囲から逸脱することなく、携行型時計ケースのいくつかの代替的な実施形態を設計することができる。携行型時計ケースのミドル部の全体的な形は、円筒状ではない形であることができる。
【符号の説明】
【００３３】
１  携行型時計ケース
２  ミドル部
３  風防
４  裏部
４’  リング
５  ガスケットの第１の部分
５’  ガスケットの第２の部分
６  パッキン
１０  計時器用ムーブメント
１２  環状内側面
１３  環状周面
１４  環状リム
１６  環状溝
２２  環状内側壁
２４  環状支持面
２６  ねじ山
３２  環状内側面
２２、２３  環状壁
【図１ａ】
2020183952.tif 000003
【図１ｂ】
2020183952.tif 000004
【図２ａ】
2020183952.tif 000005
【図２ｂ】
2020183952.tif 000006
【外国語明細書】
2020183952000001.pdf